(57)【要約】【課題】通知手段が不要なときに、電源スイッチを切ることなく、鳴動等の通知手段を一時的に回避する、利便性の高い忘れ物防止装置を提供する。【解決手段】送信機３と、通知手段２４を有する受信機２とが組み合わされ、受信機２は、送信機３からの電波を受信しているときには通知手段２４を動作させず、送信機からの電波が受信できないときには通知手段２４を動作させる忘れ物防止装置１であって、受信機２は、設定された時間内で、送信機３からの電波が受信できないときに、通知手段２４の動作を保留する通知保留手段２２、又は通信手段２４の設定を他の通知手段２５，２６，２７に切り替える通知切替手段２３を備える。【選択図】図１
2008040714.tif 000002
【特許請求の範囲】
【請求項１】
送信機と、通知手段を有する受信機とが組み合わされ、受信機は、送信機からの電波を受信しているときには通知手段を動作させず、送信機からの電波が受信できないときには通知手段を動作させる忘れ物防止装置であって、受信機は、設定された時間内で、送信機からの電波が受信できないときに、通知手段の動作を保留する通知保留手段を備えることを特徴とする忘れ物防止装置。
【請求項２】
請求項１に記載の忘れ物防止装置において、受信機の通知保留手段は、押され続ける時間間隔により、通知手段の動作を保留する設定時間を判断することを特徴とする忘れ物防止装置。
【請求項３】
請求項１又は２に記載の忘れ物防止装置において、受信機の通知保留手段は、一定時間内に押される回数により、通知手段の動作を保留する設定時間を判断することを特徴とする忘れ物防止装置。
【請求項４】
請求項１乃至３のいずれか１に記載の忘れ物防止装置において、受信機の通知保留手段は、設定された時間内に再度押されることで、通知手段の動作を保留する設定時間を延長することを特徴とする忘れ物防止装置。
【請求項５】
送信機と、通知手段を有する受信機とが組み合わされ、受信機は、送信機からの電波を受信しているときには通知手段を動作させず、送信機からの電波が受信できないときには通知手段を動作させる忘れ物防止装置であって、受信機は、複数の通知手段を備え、設定された時間内で、送信機からの電波が受信できないときに、通知手段の種類を切り替える通知切替手段を備えることを特徴とする忘れ物防止装置。
【請求項６】
請求項５に記載の忘れ物防止装置において、受信機は、切り替えられた通知手段の種類を表示する表示手段を備え、受信機の通知切替手段は、押されるたびに通知手段の設定を切り替えることを特徴とする忘れ物防止装置。
【請求項７】
請求項１乃至６のいずれか１に記載の忘れ物防止装置において、受信機の通知手段には、振動による通知手段が含まれることを特徴とする忘れ物防止装置。
【請求項８】
請求項１乃至６のいずれか１に記載の忘れ物防止装置において、受信機の通知手段には、発光による通知手段が含まれることを特徴とする忘れ物防止装置。
【請求項９】
請求項１乃至６のいずれか１に記載の忘れ物防止装置において、受信機の通知手段には、音声による通知手段が含まれることを特徴とする忘れ物防止装置。
【発明の詳細な説明】
【技術分野】
【０００１】
本発明は、忘れ物防止装置に係り、特に、送信機と通知手段を有する受信機とが組み合わされた忘れ物防止装置に関する。
【背景技術】
【０００２】
忘れ物防止装置は、送信機と受信機とから構成される。利用者は、送信機を、置き忘れしたくない、例えばカバン等に設置し、受信機を自ら携帯する。送信機は、一般的に、微弱電波を採用し、これを一定の時間間隔で発信し、受信機は、送信機から発信されたその微弱電波を受信する。また、受信機は、例えば、ブザー音である鳴動といった通知手段を有する。すなわち、受信機は、送信機から発信された電波を受信できないときに通知手段を動作させて利用者に通知するが、受信しているときには通知手段を動作させない。利用者は、その通知により、送信機の設置された物から離れたことを認識する。
【０００３】
忘れ物防止装置は、忘れ物の防止だけではなく、盗難の防止、子供の迷子の防止など様々な用途に用いられる。また、現場工事の作業者が、現場に作業道具を置き忘れるのを防止するといったように、業務用としても活用される。
【０００４】
電波の送受信が可能な距離（作動距離）の最大値は、一般的に、約３メートル〜約１０メートルの範囲である。利用者は、忘れ物防止装置に取り付けられたダイヤルにより、無段階に調整が可能か、或いは、忘れ物防止装置に取り付けられた切替スイッチにより、遠距離及び近距離の切り替えが可能となっている。しかし、主に微弱電波を用いるために、障害物等で受信機が受信できない場合が発生する。
【０００５】
特許文献１には、親機と子機で一組となり、特定距離以上離れると反応して忘れ物を防ぎ、特定距離以内に近づくと反応して捜し物を見つける忘れ物防止機が開示されている。
【０００６】
【特許文献１】特開２００１−２８３３５１号公報
【発明の開示】
【発明が解決しようとする課題】
【０００７】
ところで、微弱電波の特性から、送信機が設置された物が、ある程度近くにあるにもかかわらず受信機が電波を受信できずに、鳴動といった通知手段が鳴ってしまう場合がある。すなわち、利用者にとっては、不要なときにまで通知手段が鳴動し、不快に感じるという問題がある。
【０００８】
これに対して、電源スイッチを一時的に切ることで、この鳴動を停止させることも可能である。しかし、再度電源スイッチを入れ忘れる場合がある。この場合、忘れ物防止装置が、必要なときに役に立たなくなるという問題がある。
【０００９】
本願の目的は、かかる課題を解決し、通知手段が不要なときに、電源スイッチを切ることなく、鳴動等の通知手段を一時的に回避する、利便性の高い忘れ物防止装置を提供することである。
【課題を解決するための手段】
【００１０】
上記目的を達成するため、本発明に係る忘れ物防止装置は、送信機と、通知手段を有する受信機とが組み合わされ、受信機は、送信機からの電波を受信しているときには通知手段を動作させず、送信機からの電波が受信できないときには通知手段を動作させる忘れ物防止装置であって、受信機は、設定された時間内で、送信機からの電波が受信できないときに、通知手段の動作を保留する通知保留手段を備えることを特徴とする。
【００１１】
また、忘れ物防止装置は、受信機の通知保留手段が、押され続ける時間間隔により、通知手段の動作を保留する設定時間を判断することが好ましい。
【００１２】
また、忘れ物防止装置は、受信機の通知保留手段が、一定時間内に押される回数により、通知手段の動作を保留する設定時間を判断することが好ましい。
【００１３】
さらに、忘れ物防止装置は、受信機の通知保留手段が、設定された時間内に再度押されることで、通知手段の動作を保留する設定時間を延長することが好ましい。
【００１４】
本発明に係る忘れ物防止装置は、送信機と、通知手段を有する受信機とが組み合わされ、受信機は、送信機からの電波を受信しているときには通知手段を動作させず、送信機からの電波が受信できないときには通知手段を動作させる忘れ物防止装置であって、受信機は、複数の通知手段を備え、設定された時間内で、送信機からの電波が受信できないときに、通知手段の種類を切り替える通知切替手段を備えることを特徴とする。
【００１５】
また、忘れ物防止装置は、受信機が、切り替えられた通知手段の種類を表示する表示手段を備え、受信機の通知切替手段が、押されるたびに通知手段の設定を切り替えることが好ましい。
【００１６】
また、忘れ物防止装置は、受信機の通知手段には、振動による通知手段が含まれることが好ましく、また、発光による通知手段が含まれることが好ましく、さらに、音声による通知手段が含まれることが好ましい。
【発明の効果】
【００１７】
上記構成により、忘れ物防止装置は、受信機が、送信機からの電波を受信できないときにも、利用者により、設定された時間内で、通知手段の動作を保留させることができる。これにより、通知手段が不要なときに、利用者が、電源スイッチを切ることなく、鳴動等の通知手段を一時的に停止させ、設定時間の経過後に、その一時的な停止を解除させることが可能となる。
【００１８】
また、忘れ物防止装置は、複数の通知手段を備える受信機が、送信機からの電波が受信できないときに、利用者により、設定された時間内で、通知手段の種類を切り替えることができる。これにより、通知手段が不要なときに、利用者が、電源スイッチを切ることなく、より好ましい通知手段とし、設定時間の経過後に、元の通知手段に戻すことが可能となる。
【００１９】
以上のように、本発明に係る忘れ物防止装置によれば、忘れ物防止装置の利用者の利便性を高めることが可能となる。
【発明を実施するための最良の形態】
【００２０】
以下に、図面を用いて本発明に係る実施の形態につき、詳細に説明する。
【００２１】
図1に、本発明に係る忘れ物防止装置の一つの実施形態の概略構成を示す。忘れ物防止装置１は、受信機２と送信機３とが組み合わされて構成される。受信機２は、受信回路４、制御部５、計測部６、記憶部７、出力部８、及び入力操作部９から成る。送信機３は、送信回路１０、制御部１１、及び記憶部１２から成る。図１には、２台の送信機３を示すが、送信機３は、２台に限らず、受信機２に登録された複数のセットを同時に使用することが可能である。また、受信機２、送信機３ともに電源は電池（例えば、アルカリ電池、リチウムボタン電池）による。
【００２２】
送信機３の送信回路１０は、一定の周期で微弱電波を送信し、受信機２は、その電波を受信回路４で受信する。本実施形態では、送信機３は、送信回路１０のみ有し、受信機２は、受信回路４のみを有する。但し、この構成は基本的な構成であり、受信機２及び送信機３ともに送受信回路を備え、双方向通信を行っても良い。アンテナ１３は、送信機３と受信機２との間で微弱電波により無線通信を行うためのものである。
【００２３】
受信機２が送信機３から電波を受信することが可能な距離（作動距離）の最大値は、上述したように３メートル〜１０メートルの範囲である。利用者は、忘れ物防止装置１に取り付けられたダイヤル（図示せず）により、無段階に調整が可能か、或いは、忘れ物防止装置１に取り付けられた切替スイッチ（図示せず）により、遠距離及び近距離の切り替えが可能となっている。しかし、障害物等がある場合には、２〜３メートルの距離であっても受信機２が送信機３から電波を受信できない場合がある。
【００２４】
送信機３の制御部１１は、無線通信の制御を行い、送信機３の記憶部１２は、通信方法について記憶をする。また、受信部２の制御部５は、無線通信の制御を行い、また、入力操作部９からの情報を判断し、出力部８の制御を行う。受信機２の記憶部７は、通信方法及び出力部８による出力について記憶をする。
【００２５】
受信機２の入力操作部９は、受信機２の電池による電源のＯＮ及びＯＦＦを行う電源入力手段２１、及び後述する通知保留手段２２、通知切替手段２３を備える。受信機２の出力部８は、一般的な通知手段である鳴動通知手段（ブザー音による通知）２４、及び後述する発光通知手段２５、振動通知手段２６、音声通知手段２７を備える。これらの通知手段は、これらに限らず、例えば、楽曲による通知手段など他の手段が含まれていても良い。また、これらの通知手段は、上記通知手段のうちの一部であっても良い。
【００２６】
（通知保留手段）
本忘れ物防止装置１の使用者が、作業先で、所持品に送信機３を設置したまま、例えば、一時的にトイレに行くような場合を想定する。この場合、使用者は、所持品の所在を認識しており、本忘れ物防止装置１による通知は不要である。しかし、忘れ物防止装置１の受信機２は、微弱電波の特性から、障害物等により送信機３からの電波を受信できない場合がある。そこで、受信機２は、一般的に、鳴動通知手段２４を起動させ、ブザー音にて使用者に対して、忘れ物が発生したことを通知する。使用者は、その所持品の置き場所を認識しているにもかかわらず、不快なブザー音を受け続けなければならない。この場合、使用者は、電源入力手段２１により、電源をＯＦＦにすることで、ブザー音を消し、このブザー音を解消することが出来る。しかし、往々にして電源を再度ＯＮにすることを忘れてしまい、肝心なときに忘れ物防止装置１が作動しなくなる虞がある。
【００２７】
そこで、本忘れ物防止装置１は、通知保留手段２２を備えることを特徴とする。図２に、通知保留手段２２による通知手段の一時保留を示す。すなわち、本忘れ物防止装置１の使用者は、上述のような状況の場合、図２（ａ）に示すように、予め、入力操作部９の通知保留手段２２であるスイッチをＯＮとする。このスイッチＯＮの情報は、制御部５に伝送される。制御部５は、計測部６にタイマの設定を指示し、出力部８に対して、入力された設定時間の間、送信機３からの電波が受信できないときに鳴動通知手段２４が動作することを保留させる指示を送る。また、制御部５は、計測部６から設定された時間が経過したという情報が伝送されると、出力部８に対してこの保留の指示を撤回する指示を伝送する。
【００２８】
ここで、通知保留手段２２は、使用者によるスイッチＯＮの操作方法により上記設定時間の値を認識する。つまり、通知保留手段２２は、スイッチＯＮの情報とともに、設定時間の値を制御部５に伝送し、制御部５は、その値を計測部６に指示する。本実施形態では、通知保留手段２２は、スイッチを押し続ける時間間隔から設定時間を認識する。例えば、スイッチを１回だけ押すと、設定時間は１分間と設定され、スイッチを長押しすると、設定時間は１０分間と設定される。
【００２９】
この設定時間の値は、忘れ物防止装置１に予め登録され、記憶部７に記憶されているが、使用者が新たに入力して設定できるような機能を有していても良い。その場合には、図１に破線で示す設定時間入力手段２９が設けられ、出力部８には設定時間を表示する表示手段２８が設けられる。利用者は、例えば、ダイヤル式の設定時間入力手段２９により設定時間を選択し、表示手段２８に表示される設定時間により確認をする。
【００３０】
また、他の実施形態として、通知保留手段２２は、一定時間内にスイッチを押す回数により設定時間の値を認識する。例えば、２秒以内にｎ回押すとｎ×１分間と設定される。また、１回は１分間、２回は５分間、３回は１０分間といったように、回数ごとに個別に時間を設定しても良い。この設定時間或いは、回数ごとの個別の設定時間は、本忘れ物防止装置１に予め登録され、記憶部７に記憶されているが、使用者が新たに入力して設定できるような機能を有していても良い。その場合には、図１に破線で示す設定時間入力手段２９が設けられ、出力部８には、その一定時間或いは、回数ごとの個別の一定時間を表示する表示手段２８が設けられる。
【００３１】
本実施形態では、使用者は、図２（ａ）に示すように、忘れ物防止装置１による通知手段が不要な場合には、この通知保留手段２２であるスイッチを、予めＯＮにする。これにより、受信機２が送信機３からの電波を受信できないときであっても、制御部５は、鳴動通知手段２４を動作させない。また、使用者は、図２（ｂ）に示すように、受信機２が、送信機３からの電波を受信できずに鳴動通知手段２４を動作させた後に、この通知保留手段２２であるスイッチをＯＮとしても良い。その場合には、制御部５は、鳴動通知手段２４をＯＦＦとした上で、鳴動通知手段２４の動作を保留させる指示を送る。
【００３２】
また、図２（ｃ）及び（ｄ）に示すように、使用者は、設定された時間内に通知保留手段２２を再度押すことで、鳴動通知手段２４の動作を保留する設定時間を、さらに延長することができる。すなわち、上述した方法で設定時間が記憶部７に記憶されるが、さらに延長したい場合には、その設定時間内に同様の方法で設定を繰り返す。この延長の方法は、例えば、図２（ｃ）に示すように、通知保留手段２２を押すたびに、鳴動通知手段２４の動作の保留が新たに設定されるとしても良く、また、図２（ｄ）に示すように、その設定時間内にｎ回だけ通知保留手段２２を押すことで、ｎ回分の設定時間が延長されるとしても良い。
【００３３】
また、本実施形態では、鳴動通知手段２４によるブザー音が鳴るのを保留する通知保留手段２２としている。これは、使用者に対する通知手段としては、鳴動通知手段２４が、使用者への刺激が最も強く効果的だからである。しかし、通知保留手段２２は、鳴動通知手段２４以外の通知手段２５，２６，２７に対して保留するものであっても良い。例えば、通知保留手段２２は、バイブレータにより通知する振動通知手段２６が設定されている場合に、その設定を保留する手段であっても良い。
【００３４】
この通知保留手段２２がＯＮとなっている間は、受信機２は、受信動作をする必要がない。従って、制御部５及び受信回路４をスリープ状態とすることができる。これにより、電源である電池の使用を節約し、電池の使用時間を延ばすことが可能となる。
【００３５】
（通知切替手段）
本忘れ物防止装置１は、また、通知切替手段２３を備えることを特徴とする。図３に、通知切替手段２３による通知手段の種類の切換えを示す。すなわち、本忘れ物防止装置１の使用者は、上述のような状況の場合、図３（ａ）に示すように、予め、入力操作部９の通知切替手段２３であるスイッチを押す。このスイッチＯＮの情報は、制御部５に伝送される。制御部５は、計測部６にタイマの設定を指示し、出力部８に対して、入力された設定時間の間、送信機３からの電波が受信できないときに鳴動通知手段２４以外の指定された通知手段が動作するように指示を送る。また、制御部５は、計測部６から設定された時間が経過したという情報が伝送されると、出力部８に対してこの設定変更の指示を撤回する指示を伝送する。
【００３６】
使用者は、この鳴動通知手段２４以外の通知手段とすることで、不快感を伴う鳴動通知手段２４の代わりに、より負担の少ない刺激を受けることになる。このことは、使用者に忘れ物防止装置１の存在を認識させ続けることを意味する。例えば、振動通知手段２６に切り替えれば、使用者は、ブザー音の替わりにバイブレーションを感じる。そして、使用者に対して、所持品に送信機３を設置していることを認識させつつ、そこから一時的に離れることを意識させる効果がある。また、バイブレーションに変更することで、周囲の人々に対して、本忘れ物防止装置１を使用していることを気づかれないという効果がある。
【００３７】
また、鳴動通知手段２４の代わりに、発光ダイオード等を用いた発光通信手段２５やメッセージを伝える音声通知手段２７に切り替えることで、さらに負担の少ない刺激を受けることになる。また、これらの通信手段であっても、使用者に対して、所持品に送信機３を設置していることを認識させつつ、そこから一時的に離れることを意識させる効果がある。
【００３８】
本実施形態では、使用者は、図３（ａ）に示すように、忘れ物防止装置１による通知手段が不要な場合には、この通知切替手段２３であるスイッチを、予めＯＮにする。これにより、受信機２が送信機３からの電波を受信できないときに、制御部５は、指定された通知手段２５，２６，２７の動作に切り替える。また、使用者は、図３（ｂ）に示すように、受信機２が、送信機３からの電波が受信できずに鳴動通知手段２４を動作させた後に、この通知切替手段２３であるスイッチをＯＮとしても良い。その場合には、制御部５は、鳴動通知手段２４をＯＦＦとした上で、指定された通知手段２５，２６，２７に切り替える指示を送る。
【００３９】
ここで、通知切替手段２３は、使用者がスイッチを押すことで、その通知手段の種類を切り替える。その通知手段の種類は、図１に破線で示す表示手段２８に表示される。図３（ｃ）及び（ｄ）に示すように、例えば、当初、振動通知手段２６に設定していたのを、音声通知手段２７に切り替えることも可能である。この場合、図３（ｃ）に示すように、通知切替手段２３のスイッチを押すたびに切り替えても良く、或いは、図３（ｄ）に示すように、当初設定された期間経過後に切り替えても良い。
【００４０】
この通知切替手段２３により切り替えられた場合の設定時間は、上述の通知保留手段２２の場合と同様に、通知切替手段２３が、スイッチを押し続ける時間間隔から設定時間を認識しても良く、また、一定時間内にスイッチを押す回数により設定時間の値を認識しても良い。また、この設定時間或いは、回数ごとの個別の設定時間は、本忘れ物防止装置１に予め登録され、記憶部７に記憶されているが、使用者が新たに入力して設定できるような機能を有していても良い。その場合には、図１に破線で示す設定時間入力手段２９が設けられ、出力部８には、その一定時間或いは、回数ごとの個別の一定時間を表示する表示手段２８が設けられる。
【図面の簡単な説明】
【００４１】
【図１】本発明に係る忘れ物防止装置の一つの実施形態の概略構成を示す図である。
【図２】通知保留手段による通知手段の一時保留を示す説明図である。
【図３】通知切替手段による通知手段の種類の切替えを示す説明図である。
【符号の説明】
【００４２】
１  忘れ物防止装置、２  受信機、３  送信機、４  受信回路、５，１１  制御部、６  計測部、７，１２  記憶部、８  出力部、９  入力操作部、１０  送信回路、１３  アンテナ、２１  電源入力手段、２２  通知保留手段、２３  通知切替手段、２４  鳴動通知手段、２５  発光通知手段、２６  振動通知手段、２７  音声通知手段、２８  表示手段、２９  設定時間入力手段。
【図１】
2008040714.tif 000003
【図２】
2008040714.tif 000004
【図３】
2008040714.tif 000005